(57)【要約】【課題】噴霧装置を提供する。【解決手段】本発明による噴霧装置は、霧化用の液体を保存する保存空間を有する第一液体チャンバと、液体チャンバ上に設置されて、霧化用の液体を噴出して、第一霧状液滴を形成するノズルプレートユニット、および、第一霧状液滴を噴出する箇所に設置されて、第一霧状液滴を受け入れる間接スプレイユニット、を有し、前記間接スプレイユニットは、チャネル構造であるとともに、液滴出口と液滴入口を有し、且つ、液滴出口は噴霧装置の一壁面上に位置し、および、液滴入口は、第一霧状液滴を噴出する箇所を向いて設置される。液滴入口は、第一霧状液滴を間接スプレイユニットに進入させ、第一霧状液滴は、チャネル構造内で、繰り返し、反発動作を実行して、第二霧状液滴を形成し、間接スプレイユニットの液滴出口から噴出させる。【選択図】図４
2018015757.tif 000002
【特許請求の範囲】
【請求項１】
噴霧装置であって、
保存空間を有して、霧化用の液体を保存する第一液体チャンバと、
前記第一液体チャンバ上に設置されて、前記霧化用の液体を噴出させて、第一霧状液滴を形成するノズルプレートユニット、および、
前記ノズルプレートユニットが前記第一霧状液滴を噴出する箇所に設置される間接スプレイユニット、を有し、
前記間接スプレイユニットは、前記第一霧状液滴を受け入れ、チャネル構造であるとともに、液滴出口と液滴入口を有し、且つ、前記液滴出口は、前記噴霧装置の一壁面上に位置し、および、前記液滴入口が、前記ノズルプレートユニットが前記第一霧状液滴を噴出する箇所を向き、
前記液滴入口は、前記第一霧状液滴を前記間接スプレイユニットに進入させ、前記第一霧状液滴は、前記チャネル構造内で、繰り返し、反発動作を実行して、第二霧状液滴を形成して、前記間接スプレイユニットの前記液滴出口から噴出することを特徴とする噴霧装置。
【請求項２】
前記液滴入口の口径は、前記液滴出口の口径より大きいことを特徴とする請求項１に記載の噴霧装置。
【請求項３】
前記チャネル構造は、第一面、第二面および一対の第三面を有し、前記第一面と前記第二面は互いに相対し、且つ、前記対の第三面により互いに接続して、前記チャネル構造を形成することを特徴とする請求項１又は２に記載の噴霧装置。
【請求項４】
前記第一面は前記第二面に相対して、所定角度で傾斜して設置されることを特徴とする請求項３に記載の噴霧装置。
【請求項５】
前記所定角度の範囲は、３０度から８０度であることを特徴とする請求項４に記載の噴霧装置。
【請求項６】
前記第一霧状液滴は、前記第一面および前記第二面の間で、繰り返し、反発動作を実行して、前記第二霧状液滴を形成することを特徴とする請求項３又は４に記載の噴霧装置。
【請求項７】
前記第二霧状液滴の粒径は、前記第一霧状液滴より小さいことを特徴とする請求項１から６のいずれか一項に記載の噴霧装置。
【請求項８】
更に、前記第一液体チャンバ外周に設置される第二液体チャンバを有し、且つ、前記第一液体チャンバと前記第二液体チャンバは、連通ユニットにより互いに接続されることを特徴とする請求項１から７のいずれか一項に記載の噴霧装置。
【請求項９】
前記第一霧状液滴が、前記間接スプレイユニットに進入後、前記チャネル構造内で、繰り返し、反発動作を実行して、第三霧状液滴を形成し、前記第三霧状液滴は、前記液滴入口に噴出することを特徴とする請求項８に記載の噴霧装置。
【請求項１０】
前記第三霧状液滴は、前記第二液体チャンバ中に落入するとともに、前記連通ユニットにより、前記第一液体チャンバ中に回流することを特徴とする請求項９に記載の噴霧装置。
【請求項１１】
前記ノズルプレートユニットは、前記第一液体チャンバ上に挿入抜出可能に設置されることを特徴とする請求項１から１０のいずれか一項に記載の噴霧装置。
【請求項１２】
前記ノズルプレートユニットは、ベースとノズルプレート構造を有し、前記ノズルプレート構造は、前記ベース上に設置され、且つ、前記ノズルプレート構造は、前記ベース上の複数の対外接点と電気的に接続する複数の導電接点を有することを特徴とする請求項１から１１のいずれか一項に記載の噴霧装置。
【発明の詳細な説明】
【技術分野】
【０００１】
本発明は、噴霧装置に関するものであって、特に、間接スプレイユニットを有する噴霧装置に関するものである。
【背景技術】
【０００２】
卓上型の空気加湿器は、乾燥した気候に応用され、加湿器中の液体を霧化噴出することにより、空気の湿度を増加上昇させる。一般に、上述の霧化工程は、液体を小さい粒径の液滴に霧化して、噴出する液滴が大きすぎて過湿になる現象を防止しなければならない。従来の工程において、高周波の振動プレートを使用して、液体中で、高速振動を発生させて霧化しているが、振動の過程において生じる熱エネルギーは、機器を過熱にし、故障のリスクが増加する。一方、添加剤を含む液体 (たとえば、アロマオイル、香料添加液体等)を使用する場合、熱エネルギーの生成は、更に、これらの液体を変質させる可能性がある。
よって、液体を効果的に小さい粒径の液滴に霧化し、且つ、望まれない熱エネルギーの生成を防止する噴霧装置が必要とされる。
【発明の概要】
【発明が解決しようとする課題】
【０００３】
本発明は、液体を効果的に小さい粒径の液滴に霧化し、且つ、余計な熱エネルギーを生成しない噴霧装置を提供することを目的とする。
【課題を解決するための手段】
【０００４】
本発明による噴霧装置は、霧化用の液体を保存する保存空間を有する第一液体チャンバと、液体チャンバ上に設置されて、霧化用の液体を噴出して、第一霧状液滴を形成するノズルプレートユニット、および、第一霧状液滴を噴出する箇所に設置されて、第一霧状液滴を受け入れる間接スプレイユニット、を有し、前記間接スプレイユニットは、チャネル構造であるとともに、液滴出口と液滴入口を有し、且つ、液滴出口は噴霧装置の一壁面上に位置し、および、液滴入口は、第一霧状液滴を噴出する箇所を向いて設置される。液滴入口は、第一霧状液滴を間接スプレイユニットに進入させ、第一霧状液滴は、チャネル構造内で、繰り返し、反発動作を実行して、第二霧状液滴を形成し、間接スプレイユニットの液滴出口から噴出させる。
好ましくは、液滴入口の口径は、液滴出口の口径より大きい。
好ましくは、チャネル構造は、第一面、第二面および一対の第三面を有し、第一面と第二面は互いに相対し、且つ、対の第三面により互いに接続して、チャネル構造を形成する。
好ましくは、第一面は、第二面に相対して、所定角度傾斜して設置される。
好ましくは、所定角度の範囲は、３０度から８０度である。
好ましくは、第二霧状液滴の粒径は、第一霧状液滴より小さい。
好ましくは、第一霧状液滴は、第一面および第二面の間で、  繰り返し、反発動作を実行して、第二霧状液滴を形成する。
好ましくは、本発明の噴霧装置は、更に、第一液体チャンバ外周に設置される第二液体チャンバを有し、且つ、第一液体チャンバと第二液体チャンバは、連通ユニットにより互いに接続される。
好ましくは、第一霧状液滴が間接スプレイユニットに進入後、チャネル構造の第一面、第二面および第三面の少なくとも二個の間で、繰り返し、反発動作を実行して、第三霧状液滴を形成し、第三霧状液滴は、液滴入口に噴出される。
好ましくは、第三霧状液滴は、第二液体チャンバ中に落入するとともに、連通ユニットにより、第一液体チャンバ中に回流する。
好ましくは、ノズルプレートユニットは、第一液体チャンバ中に挿入抜出可能な方式で設置される。
好ましくは、ノズルプレートユニットは、ベースおよびノズルプレート構造を有し、ノズルプレート構造はベース上に設置され、且つ、ノズルプレート構造は、ベース上の複数の対外接点と電気的に接続する複数の導電接点を有する。
この発明の上記その他の目的と特徴は、以下の説明を添付図面と併せて参照することによって明らかとなろう。
【発明の効果】
【０００５】
本発明の噴霧装置は、液体を効果的に小さい粒径の液滴に霧化し、且つ、余計な熱エネルギーを生成しない。
【図面の簡単な説明】
【０００６】
【図１】本発明の一実施態様による噴霧装置の断面図である。
【図２】本発明の一実施態様によるノズルプレートユニットの構造図である。
【図３】本発明の一実施態様による間接スプレイユニットを示す図である。
【図４】本発明の一実施態様による噴霧装置の操作を示す図である。
【発明を実施するための形態】
【０００７】
図１を参照すると、本発明の噴霧装置１００は、第一液体チャンバ１０１、ノズルプレートユニット２０および間接スプレイユニット３０を有する。第一液体チャンバ１０１は、保存空間１０を有して、霧化用の液体１０２(図４に示される)を保存する。ノズルプレートユニット２０は、第一液体チャンバ１０の側壁上に設置されて、霧化用の液体１０２を噴出して、第一霧状液滴２０１(図４に示される)を形成する。図２は、本発明の実施態様によるノズルプレートユニットの構造を示す図である。ノズルプレートユニット２０は、ベース２１とノズルプレート構造２２を有し、ノズルプレート構造２２はベース２１上に設置され、且つ、ノズルプレート構造２２は、ベース２１上の複数の対外接点２４と電気的に接続する複数の導電接点２３を有する。ノズルプレートユニット２０は、第一液体チャンバ１０１の壁面５０上に挿入抜出可能な方法で設置され、使用者は、ノズルプレートユニットを容易に交換することができる。
間接スプレイユニット３０は、ノズルプレートユニット２０が第一霧状液滴２０１を噴出する箇所に設置されて、第一霧状液滴２０１を受け入れる。間接スプレイユニット３０の構造は、図３と図４を参照し、間接スプレイユニット３０はチャネル構造３００であるとともに、液滴入口３０４および液滴出口３０５を有し、液滴入口３０４の口径は、液滴出口３０５の口径より大きい。液滴出口３０５は、噴霧装置１００の一壁面４０上に位置し、液滴入口３０４は、ノズルプレートユニット２０が第一霧状液滴２０１を噴出する箇所を向く。チャネル構造３００は、第一面３０１、第二面３０２および一対の第三面３０３を有し、第一面３０１と第二面３０２は互いに相対し、且つ、この対の第三面３０３により互いに接続されて、チャネル構造３００を形成する。特に、第一面３０１は、第二面３０２に相対して、所定角度で傾斜して設置され、好ましくは、第一面３０１は、３０度から８０度の角度で第二面３０２に傾斜して設置される。本発明の図面において、チャネル構造３００は、例示的に立体の台形として描かれており、第一面３０１は、第二面３０２に傾斜して設置される。上述のチャネル構造を有する間接スプレイユニットにより、液滴入口は、ノズルプレートユニットにより噴出する第一霧状液滴を、間接スプレイユニットに進入させ、第一霧状液滴は、チャネル構造中で、絶えずに衝突して分裂し、更に小さい粒径の液滴を有し、詳細な動作は以下で詳述する。
続いて、図４は、本発明の噴霧装置の操作を説明する。ノズルプレートユニット２０は、霧化用の液体１０２の噴出により形成される第一霧状液滴２０１は、チャネル構造３００の液滴入口３０４を経て、間接スプレイユニット３０中に進入する。ここで、第一霧状液滴２０１は、チャネル構造３００の第一面３０１、第二面３０２および第三面３０３の少なくとも二個の間で、繰り返し、反発動作を実行して、第二霧状液滴２０２を形成し、第二霧状液滴２０２は、液滴出口３０５から噴出する。一実施態様において、第一霧状液滴２０１は、チャネル構造３００の第一面３０１および第二面３０２の間で、繰り返し、反発動作を実行して、第二霧状液滴２０２を形成する。第一霧状液滴は、間接スプレイユニット中で、絶えずに衝突して分裂して、更に小粒径の第二霧状液滴を有する。
本発明のもう一つの実施態様において、第一霧状液滴２０１が間接スプレイユニット３０に進入後、チャネル構造３００の第一面３０１、第二面３０２および第三面３０３の少なくとも二個の間で、繰り返し、反発動作を実行して、第三霧状液滴２０３を形成し、第三霧状液滴２０３は、液滴入口３０４に噴出する。本発明のもう一つの実施態様において、噴霧装置１００は、更に、第二液体チャンバ１０３を有し、第一液体チャンバ１０１の外周に沿って設置され、且つ、第一液体チャンバ１０１と第二液体チャンバ１０３は、連通ユニット１０４により互いに接続する。第一霧状液滴２０１は、間接スプレイユニット３０との衝突により、第二霧状液滴２０２方向と反対の第三霧状液滴２０３を生成する時、第三霧状液滴２０３は、第二液体チャンバ１０３中に落入し、一定の容積まで累積する時、連通ユニット１０４により、第一液体チャンバ１０１中に回流する。回流配置によって、効果的に、液体の循環回収を実行して、節約効果を達成する。
総合すると、本発明は、間接スプレイユニットを有する噴霧装置を提供し、間接スプレイユニットの第一面は、所定角度で第二面に傾斜して設置され、上述の配置により、ノズルプレートユニットが噴射進入した液滴が絶えずに繰り返し衝撃反射運動を実行し、これにより、液滴の衝撃による更に小粒径の液滴を有し、これにより、液体霧化効果をさらに緻密にし、噴霧品質が更に良くなる。一方、本発明の噴霧装置は、更に、回収配置を有して、一部の間接スプレイユニットにより弾かれた液滴が、回収配置から再度、回収利用され、節約効果を達成する。
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【０００８】
１０                  保存空間
２０                  ノズルプレートユニット
２１                  ベース
２２                  ノズルプレート構造
２３                  導電接点
２４                  対外接点
３０                  間接スプレイユニット
４０、５０                      壁面
１００                噴霧装置
１０１                第一液体チャンバ
１０２                霧化用の液体
１０３                第二液体チャンバ
１０４                連通ユニット
２０１                第一霧状液滴
２０２                第二霧状液滴
２０３                第三霧状液滴
３００                チャネル構造
３０１                第一面
３０２                第二面
３０３                第三面
３０４                液滴入口
３０５                液滴出口
【図１】
2018015757.tif 000003
【図２】
2018015757.tif 000004
【図３】
2018015757.tif 000005
【図４】
2018015757.tif 000006